【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
一般式MAlSiN3:Euで表記され、MがII価の価数をとるMg、Ca、Sr、Ba、Znからなる群から選択された一種以上の元素、Alがアルミニウム、Siが珪素、Nが窒素、Euが付活剤となる元素であり、炭素含有量が０．０８重量％より少なく、かつ、酸素含有量が３．０重量％より少ないことを特徴とする窒化物蛍光体。
【請求項２】
上記窒化物蛍光体は、粉末状であることを特徴とする請求項１に記載の窒化物蛍光体。
【請求項３】
上記粉末状の窒化物蛍光体の平均粒度が２０μｍ以下、０．１μｍ以上であることを特徴とする請求項２に記載の窒化物蛍光体。
【請求項４】
請求項１から３のいずれかに記載の窒化物蛍光体の製造方法であって、
上記窒化物蛍光体の原料を窒化ホウ素材質の焼成容器内に充填し、不活性雰囲気中で焼成して窒化物蛍光体を製造することを特徴とする窒化物蛍光体の製造方法。
【請求項５】
請求項１から３のいずれかに記載の窒化物蛍光体と、所定波長の光を発光する発光部とを有し、上記所定波長の光の一部を励起源とし、上記窒化物蛍光体を上記所定波長と異なる波長で発光させることを特徴とする光源。
【請求項６】
上記所定波長が、２５０〜５５０ｎｍの波長であることを特徴とする請求項５に記載の光源。
【請求項７】
請求項１から３のいずれかに記載の窒化物蛍光体と、所定波長の光を発光する発光部とを有し、上記所定波長の光の一部を励起源とし、上記窒化物蛍光体を上記所定波長と異なる波長で発光させることを特徴とするＬＥＤ。
【請求項８】
上記所定波長が、２５０〜５５０ｎｍの波長であることを特徴とする請求項７に記載のＬＥＤ。
【手続補正２】
【補正対象書類名】明細書
【補正対象項目名】００１２
【補正方法】変更
【補正の内容】
【００１２】
第１の構成は、  一般式MAlSiN3:Euで表記され、MがII価の価数をとるMg、Ca、Sr、Ba、Znからなる群から選択された一種以上の元素、Alがアルミニウム、Siが珪素、Nが窒素、Euが付活剤となる元素であり、炭素含有量が０．０８重量％より少なく、かつ、酸素含有量が３．０重量％より少ないことを特徴とする窒化物蛍光体である。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
第２の構成は、上記窒化物蛍光体が粉末状であることを特徴とする第１の構成のいずれかに記載の窒化物蛍光体である。
【手続補正７】
【補正対象書類名】明細書
【補正対象項目名】００１７
【補正方法】変更
【補正の内容】
【００１７】
第３の構成は、上記粉末状の窒化物蛍光体の平均粒度が２０μｍ以下、０．１μｍ以上であることを特徴とする第２の構成に記載の窒化物蛍光体である。
【手続補正８】
【補正対象書類名】明細書
【補正対象項目名】００１８
【補正方法】変更
【補正の内容】
【００１８】
第４の構成は、第１から第３の構成のいずれかに記載の窒化物蛍光体の製造方法であって、上記窒化物蛍光体の原料を窒化ホウ素材質の焼成容器内に充填し、不活性雰囲気中で焼成して窒化物蛍光体を製造することを特徴とする窒化物蛍光体の製造方法である。
【手続補正９】
【補正対象書類名】明細書
【補正対象項目名】００１９
【補正方法】変更
【補正の内容】
【００１９】
第５の構成は、第１から第３の構成のいずれかに記載の窒化物蛍光体と、所定波長の光を発光する発光部とを有し、上記所定波長の光の一部を励起源とし、上記窒化物蛍光体を上記所定波長と異なる波長で発光させることを特徴とする光源である。
【手続補正１０】
【補正対象書類名】明細書
【補正対象項目名】００２０
【補正方法】変更
【補正の内容】
【００２０】
第６の構成は、上記所定波長が２５０〜５５０ｎｍの波長であることを特徴とする第５の構成に記載の光源である。
【手続補正１１】
【補正対象書類名】明細書
【補正対象項目名】００２１
【補正方法】変更
【補正の内容】
【００２１】
第７の構成は、第１から第３の構成のいずれかに記載の窒化物蛍光体と、所定波長の光を発光する発光部とを有し、上記所定波長の光の一部を励起源とし、上記窒化物蛍光体を上記所定波長と異なる波長で発光させることを特徴とするＬＥＤである。
【手続補正１２】
【補正対象書類名】明細書
【補正対象項目名】００２２
【補正方法】変更
【補正の内容】
【００２２】
第８の構成は、上記所定波長が２５０〜５５０ｎｍの波長であることを特徴とする第７の構成に記載のＬＥＤである。
【手続補正１３】
【補正対象書類名】明細書
【補正対象項目名】００２３
【補正方法】変更
【補正の内容】
【００２３】
第１から第３のいずれかの構成に係る窒化物蛍光体によれば、炭素含有量が０．０８重量％より少ない窒化物蛍光体、酸素含有量が３．０重量％より少ない窒化物蛍光体であることから、発光に寄与しない炭素と酸素の不純物含有量が少ないので、窒化物蛍光体の発光強度の低下を抑制でき、当該窒化物蛍光体の発光効率を向上させることができる。
【手続補正１４】
【補正対象書類名】明細書
【補正対象項目名】００２４
【補正方法】変更
【補正の内容】
【００２４】
また、一般式がＭ−Ａｌ−Ｓｉ−Ｎ：Ｚで表記され、ＭがII価の価数をとる一種以上の元素、Ａｌがアルミニウム、Ｓｉが珪素、Ｎが窒素、Ｚが付活剤となる元素であることから、紫外〜緑色の光を発光する発光部からの紫外〜緑色（波長域２５０〜５５０ｎｍ）の広い範囲の光に励起帯を有するので、発光効率を更に向上させることができる。
【手続補正１５】
【補正対象書類名】明細書
【補正対象項目名】００２５
【補正方法】変更
【補正の内容】
【００２５】
第２または第３の構成に係る窒化物蛍光体が粉末状であることから、窒化物蛍光体の塗布または充填を容易に実施できる。更に、窒化物蛍光体の粉末の平均粒度が２０μｍ以下、０．１μｍ以上であることから、発光効率を向上させることができる。
【手続補正１６】
【補正対象書類名】明細書
【補正対象項目名】００２６
【補正方法】変更
【補正の内容】
【００２６】
第４の構成に係る窒化物蛍光体の製造方法によれば、窒化物蛍光体の原料を窒化ホウ素材質の焼成容器内に充填し、不活性雰囲気中で焼成して窒化物蛍光体を製造することから、炭素および酸素の不純物含有量が少ない窒化物蛍光体を製造することができる。このように、発光に寄与しない不純物が少ない窒化物蛍光体を製造できるので、発光強度の低下を抑制でき、窒化物蛍光体の発光効率を向上させることができる。
【手続補正１７】
【補正対象書類名】明細書
【補正対象項目名】００２７
【補正方法】変更
【補正の内容】
【００２７】
第５または第６の構成に係る光源は、窒化物蛍光体が、発光部が発光する所定の広い波長域(２５０〜５５０ｎｍ)の光に励起帯を有して発光するため、これらの窒化物蛍光体と発光部との組み合わせにより、可視光または白色光を発光する発光効率の高い光源を得ることができる。
【手続補正１８】
【補正対象書類名】明細書
【補正対象項目名】００２８
【補正方法】変更
【補正の内容】
【００２８】
第７または第８の構成に係るＬＥＤは、窒化物蛍光体が、発光部が発光する所定の広い波長域(２５０〜５５０ｎｍ)の光に励起帯を有して発光するため、これらの窒化物蛍光体と発光部との組み合わせにより、可視光または白色光を発光する発光効率の高いＬＥＤを得ることができる。